(57)【特許請求の範囲】
【請求項１】
記録媒体に記録され又は記録されることになるデータアイテムの内容及び利用に関するログデータの生成、編集または読取りを、ログデータアクセス手段によって行うステップと、
前記データアイテムの少なくとも一部を、削除手段によって完全にかつ自動的に削除し、又は、前記記録媒体からの前記ログデータにもとづき、削除を勧告する手段によって削除の勧告を行うステップと
を備えており、
前記ログデータは、前記記録媒体上のデータアイテムの削除の決定のための基準として保護レベルインジケータを含んでおり、データアイテムの結合された保護レベルが、結合された保護レベルを計算する手段によって、該データアイテムに対する２つ以上の保護設定の保護レベルインジケータから計算される
ことを特徴とする記録媒体の保守方法。
【請求項２】
前記ログデータはクラス、ユーザ、利用、時間及び／又はストリーム情報をふくむ請求項１に記載の方法。
【請求項３】
前記クラス情報は、ビデオデータ、オーディオデータ、及び／又はメタデータのためのアイテムの識別をふくむ、請求項２に記載の方法。
【請求項４】
前記時間情報は前記データアイテムの最後の利用の日付と時間をふくむ請求項２又は３のいずれか１項に記載の方法。
【請求項５】
前記ストリーム情報はストリームの入口位置とストリームの出口位置をふくむ、請求項２から４のいずれか１項に記載の方法。
【請求項６】
前記削除又は前記勧告の提供は、前記記録媒体の記録スペースが不足しそうなときに行なわれる請求項１から５のいずれか１項に記載の方法。
【請求項７】
前記保護レベルインジケータは、１又は複数の所定の規則又は所定の順序で使用される所定の規則の組合せに従って設定される、請求項１から６のいずれか１項に記載の方法。
【請求項８】
前記所定の規則の創造又は編集のステップがふくまれる、請求項７に記載の方法。
【請求項９】
前記所定の規則は、決定の基準を形成するエレメントのディスクリプタと、決定のための基準と、決定の結果としての保護レベルをふくむ、請求項７又は８のいずれか１項に記載の方法。
【請求項１０】
前記ログデータ及び／又は前記記録媒体又はデータ処理システムの上の決定のための前記所定の規則を記録するステップをふくむ、請求項７から９のいずれか１項に記載の方法。
【請求項１１】
記録媒体上にデータアイテムを記録する装置であって、
記録媒体に記録され又は記録されることになるデータアイテムのコンテンツ及び利用に関するログデータの生成、編集及び／又は読取りのためログデータ手段を備えていて、該ログデータは、該記録媒体上のデータアイテムの削除の決定のための基準として保護レベルインジケータを含んでおり、
前記データアイテムの少なくとも一部を完全にかつ自動的に削除し、又は、前記記録媒体からの前記ログデータにもとづいて削除の勧告を提供する削除手段を備えており、
さらに、データアイテムに対する２つ以上の保護設定の保護レベルから、該データアイテムの結合された保護レベルを計算する、結合された保護レベルを計算する手段を備えている
ことを特徴とする装置。
【発明の詳細な説明】
【０００１】
【発明の属する技術分野】
本発明は記録媒体の保守方法に関し、記録媒体に記録され、又は記録されることになるデータアイテムの内容及び／又は利用に関するログデータの発生、編集又は読取りをふくむ。さらに本発明は記録媒体にデータアイテムを記録する装置に関する。
【０００２】
【従来の技術】
ＤＶＤ（ディジタルバーサタイルディスク）及びＤＶＲ（ディジタルビデオ記録用ディスク）の記録容量の増加により、個人記録のための新しい構成がもたらされる。過去には、例えばＶＨＳテープのように、ひとつの記録媒体にはわずかに２〜３の映画が記録できたが、将来は、大容量のディスクに、例えば４０の映画を記録することが可能であろう。別の変化として、記録媒体がディジタルであるので、写真、オーディオ、ｅ−ブック、映画などの異なる内容を単一の同じ媒体に記録することができる。
【０００３】
そのようなデータ量を操作することはユーザにとって容易ではない。実際、メタデータ（データに関するデータ）が所望のアイテムをナビゲートし選択するために付加されるであろう。しかし、データの保守のための解決法は存在しない。媒体が満杯になって記録作業要求を実行できないときに何が起るであろうか。ユーザは別のデータを削除しなければならないであろう。これは、好ましくなく、又、時間のかかる仕事である。
【０００４】
その理由は、ＤＶＤ又はＤＶＲの上の記録の削除は手動で行なわなければならないからである。ユーザは削除するデータを決定して明確に選択しなければならない。
【０００５】
【発明が解決しようとする課題】
本発明の目的は記録媒体のより快適な保守方法及び装置を提供することにある。
【０００６】
【課題を解決するための手段】
上記目的を達成するための本発明の特徴は、記録媒体を保守する方法において、記録媒体に記録された又は記録されることになるデータアイテムの内容及び使用法に関するログデータの生成、編集又は読取りを、ログデータアクセス手段によって行うステップと、該データアイテムの少なくとも一部を、削除手段によって完全にかつ自動的に削除するか、又は前記記録媒体からの前記ログデータにもとづき、削除を勧告する手段によって削除の勧告を提供するステップと
を備えており、
前記ログデータは、前記記録媒体上のデータアイテムの削除の決定のための基準として保護レベルインジケータを含んでおり、データアイテムの結合された保護レベルが、結合された保護レベルを計算する手段によって、該データアイテムに対する２つ以上の保護設定の保護レベルインジケータから計算される
ことを特徴とする方法にある。
【０００７】
さらに、上記目的を達成するための装置として、
記録媒体に記録され又は記録されることになるデータアイテムのコンテンツ又は利用に関するログデータの生成、編集及び／又は読取りのためログデータ手段を備えていて、該ログデータは、該記録媒体上のデータアイテムの削除の決定のための基準として保護レベルインジケータを含んでいる、記録媒体の上にデータアイテムを記録する装置であって、
前記データアイテムの少なくとも一部を完全にかつ自動的に削除し、又は、前記記録媒体からの前記ログデータにもとづいて削除の勧告を提供する削除手段を
備えており、
さらに、データアイテムに対する２つ以上の保護設定の保護レベルから、該データアイテムの結合された保護レベルを計算する、結合された保護レベルを計算する手段を備えている
ことを特徴とする装置を提供する。
【０００８】
さらに、本発明の方法と装置の好ましい発展はサブクレイムに定義される。
【０００９】
換言すると、本発明は削除プロセスを管理する方法と装置を提供する。削除の管理は２つの方法で改善される；ユーザをサポートする会話プロセスにおいて、媒体のスペースが予定するときに、勧告による削除の決定又はバックグラウンドプロセスによる自動的削除が行なわれる。
【００１０】
本発明の利点はレコーダにエッセンス記録の利用を記述したメタデータが発生されることにある。ここで、エッセンスはオーディオ及びビデオデータのようなデータをふくみ、メタデータは、リンク又はここでは削除情報の利用のような付加データとしてエッセンスに関連するデータをあらわす。メタデータは例えばエッセンスを有する媒体の上に記録することができ、メタデータはレコーダの中でそれ自信に関連している。以前に発生して利用したメタログデータの解析にもとづいて、削除のための記録を選択することが可能となる。ひとつの解決では、レコーダは選択を行なうことができ、エッセンスの削除は記録スペースが不足したときに自動的に行なわれる。これにより、ユーザは削除のための仕事から解放される。
【００１１】
さらに、ユーザが削除プロセスを始めるときに、機械で発生する勧告をユーザに提供することが可能となる。機械で発生する削除の勧告は、ユーザにより受け入れられ、又は部分的に又は完全に拒絶される。そしてこの決定にもとづいて潜在的に複雑な削除プロセスが、ひとつの機械タスクで、ユーザの更なる動作なしに実行することができる。
【００１２】
【発明の実施の形態】
本発明の実施例によると、ユーザに媒体保守を提供する前提条件は、後の解析のための手段の発生である。この手段はアイテム使用ログ（ＩＵＬ；表１）と呼ばれる。ユーザにより起動されレコーダで処理される動作毎に、新しいＩＵＬが発生し、又はＩＵＬを更新する。例えば、レコーダが新しいアイテムを発生するとき、又は既に記録されたアイテムを再生するとき、又は編集により変化するときに、ＩＵＬが発生され又は更新される。全てのＩＵＬはリストに蓄積され、アイテム毎に利用可能である。
【００１３】
表１の左側はＩＵＬにふくまれるエレメントを示す。＜アクション＞エレメントは実行されたコマンドを記録する。それを実行したユーザは＜ユーザ＞にふくまれる。＜日時＞は実行の時刻と日付をふくみ、ストリームが操作されると作用したストリームの一部が＜スタート＞と＜エンド＞に記録される。エレメント＜保護＞は削除プロセスを制御するための値を示し、レコーダによりデフォルト値に設定され、又は、ユーザにより直接（保護変更）設定され、又は、実行された動作、例えば、アイテムがユーザにより再生されたときは＜保護＞を１に設定することにより最初に削除されるようにマークする。
【００１４】
【表１】
0004374887.tif 000002
【００１５】
前に発生したＩＵＬを使用することにより、ユーザに保守のサポートを与えることが可能となる。次に、ユーザ勧告又は特定の実施例で実現される自動的に実行されるプロセスを考慮した可能性のリストを示す。
【００１６】
１．ユーザが同じアイテムを２度再生するとき、レコーダは再生の後質問を発して、このアイテムは高い保護レベルを設定して個別に処理するのか、又は、最低の保護レベルを設定して最初に削除するのかを、ユーザに尋ねる。
【００１７】
２．アイテム＜クラス＞に従って、特定の保護レベルの応用が選択される。例えば個人写真の記録には最高のレベル。
【００１８】
３．アイテムに注釈が付加されているとき、例えば、メタデータ又は他のアイテムが当該アイテムに関連するときは、保護レベルを上昇させ、又は、質問を発してユーザに保護レベルの選択を要求する。
【００１９】
記録媒体の記録空間が少なくなっているときは；
４．アイテム毎に使用の回数を決定する。これは自動削除のための選択基準のために行なわれる。
【００２０】
５．最低保護レベル及び時間Ｎ以上にわたって使用されないアイテムを削除する。ここでＮはデフォルト又はユーザ選択の値である。
【００２１】
６．最低保護レベルで既に再生されたアイテムを削除する。
【００２２】
ＩＵＬにより複雑なアルゴリズムを適用して、ユーザのためのより強力な媒体保守サポートが可能である。このアルゴリズムの基本を以下に示す。
【００２３】
進歩した媒体保守サポートを提供するために、規則のリスト、ここではグローバル保護設定と呼ぶ（表２）、を発生する。各グローバル保護設定（ＧＰＳ）はシステム内でグローバルに利用可能で、３つのエントリーから成る。＜デスクリプタ＞はＩＵＬエレメント又はジャンル、著者、要約等の記録された項目に属するメタデータから得ることができる。各＜デスクリプタ＞に関連して、＜基準＞が、ＧＰＳ選択基準を記述する論理規則をふくんで定義される。第３のエントリは＜レベル＞と呼ばれ、ＧＰＳを適用したときの保護レベルの結果を保持する。
【００２４】
表２はＧＰＳの例をしめす。第１のＧＰＳの例では：新しいアイテムを記録するときは保護レベルを“ハイ”に設定する。これはＩＵＬ（例えば＜保護＞＝ｋ）の保護エレメントに対し可能な最高の値である。表２の第３の例では、関連するメタデータ  アクター“クライアント  イーストウッド”をもつアイテムは保護レベル“ミーディアム”に設定されるべきであることを決定する。これは、＜保護＞＝ｋ／２と等価である。表２の第５行では、記録容量が少なくなってアイテムの削除を決定するときにレコーダによって自動的に検査される例が示される。実際の日付とメタデータの記録日との差が２週間より大きいときは、そのアイテムに対し保護レベルを“ロー”に設定する。これは＜保護＞＝１であり、アイテムは削除されるであろう。
【００２５】
【表２】
0004374887.tif 000003
【００２６】
ＧＰＳは１又は複数の記録媒体に対する保護の形状を設定する。形状は、複数の記録媒体に対し又は各記録媒体毎に、レコーダに記録することができる。保護の形状の発生のアルゴリズムは図１に示される。新しいＧＰＳがステップ１で発生する。ＧＰＳの値は次のステップで入力される。ステップ２でディスクリプタと基準が入力される。ステップ３で複数のディスクリプタと基準が組合せられるか否かが決定される。決定がイエスのときは２又はそれ以上のディスクリプタと基準が論理演算子“ＡＮＤ”により結合される。数個のディスクリプタと基準を結合した後、保護レベルインジケータのレベルがステップ４で入力される。ステップ５で別のＧＰＳが保守形状に入力されるか否か決定される。決定がイエスのときは、ステップ１にもどる。決定がノーのときはステップ６に進み、形状がレコーダ又は記録媒体に記録される。
【００２７】
フローチャートから明らかなように、異なるディスクリプタと基準の累積が単一のＧＰＳ規則に対して可能である。これは強力な道具で、例えば次の例で示す記録のさしかえを定義することができる。２週間の間の特定のニュースプログラムの最新バージョンを保持して古いバージョンを全て削除したいときは、結合されたＧＰＳを必要とする。これは表２で第５行と第６行を組合せて提供される。この組合されたＧＰＳのレベルはローで、削除の可能性を与える。１以上のＧＰＳが単一のアイテムに印加されることが真になると、ＧＰＳ処理の順序は、表２の順序１−７で、このアイテムのためのレベルの最終結果を決定する。又は、組合されたＧＰＳ規則のレベルは組合された複数のＧＰＳのレベルから計算してもよい。組合されたＧＰＳに対するレベルは、関連するＧＰＳの中間に計算することができる。
【００２８】
ＧＰＳを利用することによりユーザに保守サポートを与えることが可能になる。ここでユーザの勧告又は自動的に実行される処理を考慮した可能性の別のリストを続ける。
【００２９】
７．レコーダは保守のために既に利用可能なメタデータを使用することができる。
【００３０】
８．レコーダは保守の目的でそれ自身のメタデータ（例えばＩＵＬ）を創ることができる。
【００３１】
９．レコーダは各媒体毎に独立の保守形状を発生することができる。例えば各ＤＶＲディスクはそれ自身の保守形状をもつ。
【００３２】
１０．ユーザは各媒体毎に、Ｋを定義することにより最高位の保護レベルを特定することができる。
【００３３】
１１．ユーザは各アイテム毎に＜クラス＞に応じて保護レベルを特定することができる。これは例えば記録領域の不足から必要なときは全てのビデオを削除して全ての写真を保存することに使用することができる。
【００３４】
１２．ＧＰＳの組合せを利用することにより、ユーザはレコーダで実行される複合保守タスクを自動的に設定することができる。例えば、記録の自動入れ換え。
【００３５】
本発明は改良されたユーザインタフェースを提供し、これは記録媒体が大量の異なる応用アイテムを保持するときに重要となる。これらのデータの保守はユーザにまかされるのではなく、ユーザは手動で項目を削除するという古い仕事なしですませなければならない。この目的のために、メタデータが創られ、記録媒体の上に記録される。メタデータはＸＭＬ形式でエクスポートすることができ、さらに、ユーザサポートインターフェース技術、自動置換、削除、保護のための提案等に利用することができる。
【００３６】
本発明は１アイテム以上をふくむ全ての記録媒体に応用することができる。それは、例えば、ハードディスク、テープ、ＲＡＭ等である。前もって必要なものはアイテム毎のユーザログ又はその他のログデータユニットである。
【図面の簡単な説明】
【図１】本発明による保守形状発生のためのフローチャートである。
【図１】
0004374887.tif 000004